(57)【特許請求の範囲】
【請求項１】
固定側（１）に、水平な渡し板支持部（２）が、移動案内機構（７）に沿って移動自在な可動部（６ａ）をベースとする支持架構（６）により水平なＹ方向に移動可能に設置され、免震構造建物側（３）には前記渡し板支持部（２）と略同レベルに水平な渡し板支持部（４）が相対峙して設けられ、前記二つの渡し板支持部（２）、（４）の間に中立状態における前記二つの渡し板支持部（２）と（４）のクリアランス寸法（Ｌ）の約２倍の長さの鋼板から成る渡し板（５）が前記Ｙ方向と直交する水平なＸ方向への移動が自在に設置されていると共に、この渡し板（５）は、前記二つの渡し板支持部（２）と（４）とは水平なＸ方向へは滑動自在であるが、Ｙ方向へは位置ずれを生じないように拘束した関係で設置されていることを特徴とする、免震構造建物のエキスパンションジョイント部。
【請求項２】
免震構造建物側（３）に、水平な渡し板支持部（２）が、移動案内機構（７）に沿って移動自在な可動部（６ａ）をベースとする支持架構（６）により水平なＹ方向に移動可能に設置され、固定側（１）には前記渡し板支持部（２）と略同レベルに水平な渡し板支持部（４）が相対峙して設けられ、前記二つの渡し板支持部（２）、（４）の間に中立状態における前記二つの渡し板支持部（２）と（４）のクリアランス寸法（Ｌ）の約２倍の長さの鋼板から成る渡し板（５）が前記Ｙ方向と直交する水平なＸ方向への移動が自在に設置されていると共に、この渡し板（５）は、前記二つの渡し板支持部（２）と（４）とは水平なＸ方向へは滑動自在であるが、Ｙ方向へは位置ずれを生じないように拘束した関係で設置されていることを特徴とする、免震構造建物のエキスパンションジョイント部。
【発明の詳細な説明】
【０００１】
【発明の属する技術分野】
この発明は、振動周期が異なる免震構造建物と、その外周地盤その他の隣接構造物（以下、免震構造建物の可動性に対して固定部又は固定側と言う。）との間（ドライエリア）を相互に平坦な路面を形成するように自在接続するエキスパンションジョイントの技術分野に属する。
【０００２】
【従来の技術】
最近、免震装置を採用して、地震エネルギーが直接建物に伝達されないようにした免震構造建物の需要が増し、建設が進められている。ところで、免震構造建物と外周地盤との間（ドライエリア）の渡り部分の接続に関しては、双方の振動周期が異なるため、相互に力学上有害な影響を及ぼし合わないようにエキスパンションジョイントにすることが当然必要である。しかし、現状は図３のように建物ａ側から外周地盤ｃへ跳ね出し架構ｂを設けて繋いでいるのが一般的である。符号ｄは免震装置である。ところが、前記のような跳ね出し架構ｂの場合は、渡り部分に段差が発生するため、路面（架構上面）が傾斜面（スロープ）となるほか、免震構造建物ａが振動すると、跳ね出し架構ｂも同じように振動するため、その上に乗っている人は足元を払われたりする危険性がある。
【０００３】
次に、特開昭６３−９７７７４号公報に記載された減震装置にはエキスパンションジョイントが採用されている。しかし、そのスライド部の移動によって路面に大きな段差（凹み）が発生する構成であるから、人や車両の通過に支障が生じ危険でもある。
【０００４】
【本発明が解決しようとする課題】
本発明の目的は、水平面上の直角２方向（Ｘ，Ｙ方向）の振動ストローク（変形量）が±４０cm程度まで吸収することができ、しかも振動状態の如何にかかわらず常に略平坦な路面を形成するエキスパンションジョイント部を提供することである。
【０００５】
【課題を解決するための手段】
上記従来技術の課題を解決するための手段として、請求項１記載の発明に係る免震構造建物のエキスパンションジョイント部は、
固定側１に、水平な渡し板支持部２が、移動案内機構７に沿って移動自在な可動部６ａをベースとする支持架構６により水平なＹ方向に移動可能に設置され、免震構造建物側３には前記渡し板支持部２と略同レベルに水平な渡し板支持部４が相対峙して設けられ、前記二つの渡し板支持部２、４の間に中立状態における前記二つの渡し板支持部２と４のクリアランス寸法Ｌの約２倍の長さの鋼板から成る渡し板５が前記Ｙ方向と直交する水平なＸ方向への移動が自在に設置されていると共に、この渡し板５は、前記二つの渡し板支持部２と４とは水平なＸ方向へは滑動自在であるが、Ｙ方向へは位置ずれを生じないように拘束した関係で設置されていることを特徴とする。
【０００６】
請求項２記載の発明に係る免震構造建物のエキスパンションジョイント部は、
免震構造建物側３に、水平な渡し板支持部２が、移動案内機構７に沿って移動自在な可動部６ａをベースとする支持架構６により水平なＹ方向に移動可能に設置され、固定側１には前記渡し板支持部２と略同レベルに水平な渡し板支持部４が相対峙して設けられ、前記二つの渡し板支持部２、４の間に中立状態における前記二つの渡し板支持部２と４のクリアランス寸法Ｌの約２倍の長さの鋼板から成る渡し板５が前記Ｙ方向と直交する水平なＸ方向への移動が自在に設置されていると共に、この渡し板５は、前記二つの渡し板支持部２と４とは水平なＸ方向へは滑動自在であるが、Ｙ方向へは位置ずれを生じないように拘束した関係で設置されていることを特徴とする。
【０００９】
【発明の実施形態及び実施例】
請求項１記載の発明に係る免震構造建物のエキスパンションジョイント部は、図１Ａ〜Ｃに示したように、外周地盤として示した固定側１に、水平な渡し板支持部２が、水平なＹ方向（図２Ａ参照）へ移動可能に設置されている。また、免震構造建物３側にも、前記渡し板支持部２と略同レベルに、渡し板支持部４が相対峙する配置に設けられ、前記二つの渡し板支持部２と４の間（ドライエリア）に渡し板５が前記Ｙ方向と直交する水平なＸ方向（図２Ａ参照）への移動が自在に設置されている。
【００１０】
前記渡し板支持部２をＹ方向へ少なくとも±４０cm程度のストローク移動可能に支持する支持架構６は、移動案内機構７に沿って移動自在な可動部６ａをベースとして、渡し板支持部２を水平姿勢に支持する構成とされている。前記条件を満たすかぎり、支持架構６の構成は図示したリンク構造に限らず、種々な構造、形態を採用可能である。いずれにしても、渡し板支持部２は支持架構６により固定側１に対してＸ方向には不離一体的関係に設置されているので、エキスパンションジョイント部の如何なる作動時にも、固定側１と渡し板支持部２との間に大小の隙間、凹みを発生することはない。他方、免震構造建物３側の渡し板支持部４は、その板厚分相当だけ彫り込んだ形に固定して設置されている。
【００１１】
図示した移動案内機構７は固定側１の垂直壁に垂直な姿勢に設けられているが、この限りではなく、水平又は傾斜した姿勢でも同様に実施される。この移動案内機構７の構造詳細を図示することは省略したが、テフロン（登録商標）シート等の滑材を平面的に使用した滑り機構、又はレール等を使用し該レールに沿って車輪又は平面メタル等が移動する機構など、周知、公知の手段を適宜に採用して実施され得る。
【００１２】
渡し板５としては、一例として厚さが１２mm程度の鋼板が使用されている。渡し板５は、図１の左右方向の長さを、図１Ａの中立状態における約４０cm程度のクリアランス寸法（Ｌ）の２倍余の長さ（２Ｌ）を有するものとされる。一方、この渡し板５を支持する渡し板支持部２及び４の左右方向の長さは、前記クリアランス寸法Ｌ相当のスライドを許容し得る長さとされている。渡し板５は、両側の渡し板支持部２、４との関係を、水平なＹ方向へは位置ずれを生じないようにする手段として、渡し板５の下面の両端部に下向きに突き出る被拘束部５ａ、５ｂを設け、他方、渡し板支持部２、４の上面には、前記被拘束部５ａ、５ｂが移動可能に嵌まり込み、位置ずれを生じない程度に拘束をする案内溝８が左右方向に前記寸法Ｌの長さに設けられている。
【００１３】
従って、渡し板５は図１Ａの平常状態（中立状態）から、免震構造建物１の振動に伴ってＸ方向へは図１Ｂ又は図１Ｃのように渡し板支持部２、４上を滑動してエキスパンションジョイントの作用、機能を働く。このとき路面はせいぜい渡し板５の厚さ相当分だけ変化するに過ぎず、歩行等に支障ない平坦面状態が保たれる。また、Ｙ方向への振動に対しては、前記渡し板５の被拘束部５ａ、５ｂと渡し板支持部２、４の案内溝８との拘束効果により，図２Ａの平常状態（中立状態）から，図２Ｂ又は図２Ｃのように，固定側１の渡し板支持部２が支持架構６と共に移動案内機構７に沿って移動し、渡し板５と合一にＹ方向へ移動されてエキスパンションジョイントとしての作用、機能を働くのである。
【００１４】
なお、請求項２に記載した発明のように、免震構造建物３側に、水平な渡し板支持部を水平なＹ方向への移動が可能に設置し、固定側には前記渡し板支持部と略同レベルに渡し板支持部を相対峙して設け、前記二つの渡し板支持部の間に渡し板を前記Ｙ方向と直交する水平なＸ方向への移動が自在に設置された、言うなれば請求項１記載の発明とは構成要素の配置が左右逆の構成のエキスパンションジョイント部として実施することもできる。
【００１８】
【本発明が奏する効果】
本発明に係るエキスパンションジョイント部は、比較的簡単な構造で、特殊な素材や複雑な加工を必要としないで、安価に容易に実施でき、所望の作用効果を奏するので、今後需要が増加し多く建設されるであろう免震構造建物と固定側との間の自在接続に寄与する。
【図面の簡単な説明】
【図１】  Ａは本発明に係るエキスパンションジョイント部の第１実施例を中立状態で示した正面図、Ｂは収縮状態、Ｃは伸長状態の正面図である。
【図２】  Ａは上記エキスパンションジョイント部の中立状態を示した平面図、Ｂ、ＣはＹ方向への振動状態を示した平面図である。
【図３】  従来のエキスパンションジョイント部を示した説明図である。
【符号の説明】
１    固定側
２    渡し板支持部
３    免震構造建物
４    渡し板支持部
【図１】
0003711524.tif 000002
【図２】
0003711524.tif 000003
【図３】
0003711524.tif 000004